(57)【要約】ハニカム構造体の端面に透明なシートを貼着して撮像した後、最外周部に位置するセル（最外周セル）以外のセル（通常セル）については、撮像した画像を画像処理することによりその位置を認識し、それに基づいて前記シートの目封じすべきセルに対応した位置に穿孔処理を行い、最外周セルについては、通常セルの前記画像処理により認識された位置から算出された平均セルピッチからその位置を算出して認識し、それに基づいて前記シートの目封じすべきセルに対応した位置に穿孔処理を行い、その後、前記シートに穿たれた孔を通じて、目封じすべきセルの端部に目封止用スラリーを充填して目封止部を形成する。
2008081649.tif 000002
【特許請求の範囲】
【請求項１】
多孔質の隔壁によって、二つの端面の間を連通する複数のセルが区画形成されたハニカム構造体と、前記各セルの二つの開口端のうちの何れか一方を目封止するように配設された目封止部とを備える目封止ハニカム構造体の製造方法であって、
ハニカム構造体の端面に透明なシートを貼着して、当該端面を撮像した後、前記ハニカム構造体の最外周部に位置するセル以外のセルについては、撮像した画像を画像処理することによりその位置を認識し、それに基づいて前記シートの目封じすべきセルに対応した位置に穿孔処理を行い、前記ハニカム構造体の最外周部に位置するセルについては、前記ハニカム構造体の最外周部に位置するセル以外のセルの前記画像処理により認識された位置から算出された平均セルピッチからその位置を算出して認識し、それに基づいて前記シートの目封じすべきセルに対応した位置に穿孔処理を行い、その後、前記目封止部の材料をスラリー化した目封止用スラリーに前記ハニカム構造体の端部を浸漬し、前記穿孔処理により前記シートに穿たれた孔を通じて、前記目封じすべきセルの端部に前記目封止用スラリーを充填して前記目封止部を形成する目封止ハニカム構造体の製造方法。
【請求項２】
前記穿孔処理を、レーザーを使用して実施する請求項１に記載の目封止ハニカム構造体の製造方法。
【発明の詳細な説明】
【技術分野】
【０００１】
本発明は、ディーゼルパティキュレートフィルター（ＤＰＦ）等に使用される各セルの一端部が目封止されたハニカム構造体の製造方法に関する。
【背景技術】
【０００２】
ディーゼルエンジン等の内燃機関から排出される排ガスには、環境汚染の原因となるような炭素を主成分とするパティキュレート（粒子状物質）が多量に含まれているため、それらの排気系には、パティキュレートを捕集（濾過）するためのフィルターが搭載されることが一般的ある。【０００３】
通常、このような目的で使用されるフィルターには、図２Ａ及び図２Ｂに示すように、多孔質の隔壁７によって、二つの端面の間を連通する複数のセル９が区画形成されたハニカム構造体２と、前記各セル９の二つの開口端のうちの何れか一方を目封止するように、ハニカム構造体２の一端面側と他端面側とで相補的な市松模様状に配設された目封止部１１とを備える目封止ハニカム構造体１が用いられる。【０００４】
排ガスは、このような目封止ハニカム構造体１からなるフィルターの一方の端面３から内部に流入し、ガス中に含まれるパティキュレート等が除去された後、他方の端面５から流出する。具体的には、まず排ガスは、このフィルターの一方の端面３において端部が封止されておらず他方の端面５において端部が封止されたセル９ｂに流入し、多孔質の隔壁７を通って、一方の端面３において端部が封止され他方の端面５において端部が封止されていないセル９ａに移動し、このセル９ａから排出される。そして、この際に隔壁７が濾過層となり、ガス中のパティキュレートが隔壁７に捕捉され隔壁７上に堆積する。【０００５】
上記のような目封止ハニカム構造体の製造方法として、ハニカム成形体の端面に、透明なシート等を貼着して、当該端面を撮像した後、撮像した画像を画像処理することにより各セルの位置を認識し、それに基づいて前記シートの目封じすべきセルに対応した位置にレーザー加工等により穿孔処理を行い、その後、目封止部の材料をスラリー化した目封止用スラリーにハニカム構造体の端部を浸漬し、穿孔処理によりシートに穿たれた孔から、目封じすべきセルの端部に目封止用スラリーを充填して目封止部を形成するという方法が知られている（例えば、特許文献１参照）。【０００６】
この製造方法では、前記のとおり、セルの位置の認識を画像認識により行う。具体的にはＣＣＤ（ｃｈａｒｇｅ−ｃｏｕｐｌｅｄ  ｄｅｖｉｃｅ）カメラ等により撮像されたハニカム構造体の端面の画像を二値化処理し、二値化処理後の画像中の一塊の黒い像が所定のセル形状（例えば四角形）を成しているか、あるいは所定のセル面積の一定割合（例えば８０％以上）に達している場合に、その像をセルとみなし、その位置を認識する。なお、所定のセル形状を成していなかったり、所定のセル面積の一定割合に達していない像は、ハニカム構造体の端面に付着した埃等の異物とみなし、その位置に誤って穿孔処理を施さないようにしている。【０００７】
しかしながら、セルの内、ハニカム構造体の最外周部に位置するセル（ハニカム構造体の外周壁と接しているセル）は、他のセルに比して、一部分が欠けた形状をしており、かつ、面積も小さくなっているため、前記のような画像処理では、セルとしてその位置が認識されない場合が多い。このため、当該セルが本来は目封止されるべきものであっても、シートの当該セルに対応した位置には穿孔処理がなされず、当該セルに目封止用スラリーが充填されないため、結果的に目封止部が形成されず、両端部とも開放されたままのセルが残ることになる。【０００８】
このような両端部とも開放されたままのセルにおいては、それに流入した排ガス中のパティキュレートの大部分が捕捉されることなくハニカム構造体を通過することになるため、当該セルの存在はフィルターとしての性能を低下させる要因となる。
【特許文献１】特開２００１−３００９２２号公報
【発明の開示】
【０００９】
本発明は、上述のような従来技術の問題点に鑑みてなされたものであって、その目的とするところは、ハニカム構造体の最外周部に位置するセルの位置を認識でき、当該セルに対しても、目封止部が形成できるような目封止ハニカム構造体の製造方法を提供することにある。
【００１０】
上記目的を達成するため、本発明によれば、以下の目封止ハニカム構造体の製造方法が提供される。
【００１１】
［１］多孔質の隔壁によって、二つの端面の間を連通する複数のセルが区画形成されたハニカム構造体と、前記各セルの二つの開口端のうちの何れか一方を目封止するように配設された目封止部とを備える目封止ハニカム構造体の製造方法であって、ハニカム構造体の端面に透明なシートを貼着して、当該端面を撮像した後、前記ハニカム構造体の最外周部に位置するセル以外のセルについては、撮像した画像を画像処理することによりその位置を認識し、それに基づいて前記シートの目封じすべきセルに対応した位置に穿孔処理を行い、前記ハニカム構造体の最外周部に位置するセルについては、前記ハニカム構造体の最外周部に位置するセル以外のセルの前記画像処理により認識された位置から算出された平均セルピッチからその位置を算出して認識し、それに基づいて前記シートの目封じすべきセルに対応した位置に穿孔処理を行い、その後、前記目封止部の材料をスラリー化した目封止用スラリーに前記ハニカム構造体の端部を浸漬し、前記穿孔処理により前記シートに穿たれた孔を通じて、前記目封じすべきセルの端部に前記目封止用スラリーを充填して前記目封止部を形成する目封止ハニカム構造体の製造方法。
【００１２】
［２］前記穿孔処理を、レーザーを使用して実施する［１］に記載の目封止ハニカム構造体の製造方法。
【００１３】
本発明の製造方法によれば、画像処理では認識が困難なハニカム構造体の最外周部に位置するセルの位置を認識して、当該セルに対しても、ほぼ確実に目封止部を形成することができる。したがって、本発明の製造方法によって製造された目封止ハニカム構造体においては、最外周部に位置するセルに流入したガス中のパティキュレートも捕捉でき、フィルターとして優れた性能を発揮する。
【図面の簡単な説明】
【００１４】
【図１】ハニカム構造体の端面を示す概略平面図である。
【図２Ａ】目封止ハニカム構造体の基本的な構造を示す一端面側から見た概略平面図である。
【図２Ｂ】目封止ハニカム構造体の基本的な構造を示す概略断面図である。
【図３】実施例１において、目封止部を形成した後のハニカム構造体端面の一部を撮影した写真である。
【図４】比較例１において、目封止部を形成した後のハニカム構造体端面の一部を撮影した写真である。
【符号の説明】
【００１５】
１：目封止ハニカム構造体、２：ハニカム構造体、３：端面、５：端面、６：外周壁、７：隔壁、９：セル、１１：目封止部。
【発明を実施するための最良の形態】
【００１６】
以下、本発明の代表的な実施形態について具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。なお、本明細書において、単に「ハニカム構造体」というときは、目封止部を有していないハニカム構造体を意味するものとする。【００１７】
図１は、ハニカム構造体の端面を示す概略平面図である。本発明は、多孔質の隔壁によって、二つの端面の間を連通する複数のセルが区画形成されたハニカム構造体と、前記各セルの二つの開口端のうちの何れか一方を目封止するように配設された目封止部とを備える目封止ハニカム構造体の製造方法である。フィルター等の用途に使用するハニカム構造体は、このように各セルの二つの開口端のうちの何れか一方を目封止する必要があり、そのためには、まず、ハニカム構造体の端面上においてセルの位置を認識する必要がある。本発明においては、ハニカム構造体の最外周部に位置するセル（以下、「最外周セル」と言う。）と、最外周セル以外のセル（以下、「通常セル」と言う。）とで、異なる方法によりセルの位置を認識する。【００１８】
すなわち、通常セル９ｃについては、ハニカム構造体２の端面に透明なシート（図示せず）を貼着して、当該端面を撮像した後、撮像した画像を画像処理することによりその位置を認識する。シートには、市販の粘着シートを使用することができる。ハニカム構造体２の端面を撮像するための撮像装置については、特に限定されるものではないが、ＣＣＤカメラやＸ線ＣＴ（ｃｏｍｐｕｔｅｄ  ｔｏｍｏｇｒａｐｈｙ）スキャナー等を好適に用いることができる。ＣＣＤカメラとしては、例えば、キーエンス社製の高精度ＣＣＤカメラなどが好適に使用できる。また、ここで言う「画像処理」とは、具体的には「二値化処理」を意味する。「二値化処理」は、画像データを例えば２５６階調に色分けし、閾値を境界として、これより輝度の高い部分を白、低い部分を黒とする白黒のみの二値画像に変換する処理であり、これにより、ハニカム構造体の隔壁部分（白）とセル部分（黒）とを識別することができる。【００１９】
こうして画像処理が施されたハニカム構造体の端面の画像中において、一塊の黒い像が所定のセル形状（例えば四角形）を成しているか、あるいは所定のセル面積の一定割合（例えば８０％以上）に達している場合に、その像をセルとみなし、その位置を認識する。最外周セル９ｄが、ハニカム構造体２の外周壁６と接することによって、本来のセル形状の一部を欠いているのに対し、通常セル９ｃは、ハニカム構造体の製造過程において多少の変形が生じていたとしても、ほぼ本来のセル形状とセル面積とを保っているので、このような画像処理によって、ほぼ確実にセルとみなされる。このようにハニカム構造体２の端面上において通常セル９ｃの位置を認識した後、その認識された位置に基づいて、当該端面に貼着されたシートの目封じすべきセルに対応した位置に穿孔処理を行なう。【００２０】
なお、ハニカム構造体２の端面を撮像するに際しては、シートを貼着する前に当該端面に付着した埃等の異物をエアーの吹き付け等によって除去しておくことが、画像処理後のセル認識時において、セルと異物との誤認を回避する観点から好ましい。また、同様の観点から、画像処理が施された画像中の一塊の像の内、当該像を構成する画素数が所定の画素数以下であるものを埃等の異物とみなして判断対象から排除するようにしても良い。【００２１】
一方、最外周セル９ｄは、前記のとおり、ハニカム構造体２の外周壁６と接することによって、本来のセル形状の一部を欠いているため、画像処理によって認識するのは困難である。そこで、本発明では、前記画像処理によって認識された通常セル９ｃの位置から平均セルピッチを算出し、その平均セルピッチから最外周セル９ｄの位置を算出して認識する。具体的には、図１中に矢印で示すセルの並び方向において、通常セル９ｃの内で最も外周側にあるセル（最外周セルに隣接する通常セル）から、ハニカム構造体２の外周側に平均セルピッチ分移動した位置を最外周セル９ｄの位置として認識する。このようにハニカム構造体２の端面上において最外周セル９ｄの位置を認識した後、その認識された位置に基づいて、当該端面に貼着されたシートの目封じすべきセルに対応した位置に穿孔処理を行なう。【００２２】
なお、最外周セルの位置を認識する方法としては、前記のような本発明における方法の他に、例えば、ハニカム構造体の設計図面から理論値により算出するといった方法も考えられるが、ハニカム構造体の製造過程においてセルにうねりが生じたような場合には、設計値とのズレが生じ、適切な位置に穿孔が成されない。本発明は、通常セルの実際の位置から算出した平均セルピッチを用いて最外周セルの位置を特定するので、最外周セルの位置と穿孔位置とのズレが生じにくい。【００２３】
本発明において、シートに対する穿孔処理の方法は特に限定されないが、処理速度や正確性、自動化への対応のしやすさといった観点から、レーザーを使用して穿孔処理を実施することが好ましい。例えば、前記の方法により認識したセルの位置に基づいて、ハニカム構造体を載せたＸＹＺθステージを位置決めし、シートの目封じすべきセルに対応した位置にレーザーを照射して穿孔処理を行なう。なお、穿孔処理は、端面全体に対し一度に行っても良いし、端面を複数の小ブロックに分割して、当該小ブロック毎に実施するようにして良い。シートに穿孔する孔の面積は、セル面積の３０〜７０％程度が好ましく、目封止に使用するスラリーの粘性が低いときは小さめに、粘性が高いときは大きめにすることが望ましい。【００２４】
こうしてシートに穿孔処理を施した後、目封止部の材料をスラリー化した目封止用スラリーにシートが貼着された状態のままハニカム構造体の端部を浸漬し、穿孔処理によりシートに穿たれた孔を通じて、目封じすべきセルの端部に目封止用スラリーを充填して目封止部を形成する。その後、必要に応じて乾燥及び／又は焼成することにより目封止用ハニカム構造体を得る。目封止すべきセルの位置、すなわち目封止パターンは、特に限定されるわけではないが、ＤＰＦ等のフィルター用途で使用する場合には、図２Ａ及び図２Ｂのように、ハニカム構造体２の一端面３側と他端面５側とで、目封止部１１を相補的な市松模様状に配設するのが一般的である。【００２５】
なお、目封止用スラリーを充填する時点での、ハニカム構造体の状態は、既に焼成された焼結体の状態であっても、焼成前の成形体の状態であっても良い。成形体の場合は、目封止用スラリーを充填した後、ハニカム構造体全体を焼成する必要がある。【００２６】
ハニカム構造体を構成する材質については特に制限はないが、焼成後の状態において隔壁が多孔質であることが必要であるため、通常は、セラミック（例えば、コージェライト等）からなるものが好適に用いられる。ハニカム構造体の形状についても特に限定されず、例えば、円筒状、四角柱状、三角柱状等の各種形状を採用することができる。ハニカム構造体のセル形状は、四角形が最も一般的であるが、他に三角形、六角形、八角形などの多角形や丸形、あるいはそれらの組み合わせでも良い。【００２７】
ＤＰＦ等のフィルターとして使用する場合、ハニカム構造体の隔壁の厚さは、１００〜２０００μｍが好適であり、２００〜１０００μｍであることがより好ましく、３００〜７００μｍであることが更に好ましい。隔壁の厚さが１００μｍ未満であると、強度が不足して耐熱衝撃性が低下する場合があり、一方、隔壁の厚さが２０００μｍ超であると、圧力損失が増大する傾向にあるからである。【００２８】
ハニカム構造体のセル密度は、２０〜６００セル／ｉｎ２（ｃｐｓｉ）が好適であり、５０〜４００ｃｐｓｉであることがより好ましく、１００〜３００ｃｐｓｉであることが更に好ましい。セル密度が２０ｃｐｓｉ未満であると、排ガスとの接触効率が不足する傾向にあり、一方、セル密度が６００ｃｐｓｉ超であると、圧力損失が増大する傾向にあるからである。なお、「ｃｐｓｉ」は「ｃｅｌｌｓ  ｐｅｒ  ｓｑｕａｒｅ  ｉｎｃｈ」の略であり、１平方インチ当りのセル数を表す単位である。例えば１０ｃｐｓｉは、約１．５５セル／ｃｍ２である。【００２９】
ハニカム構造体の気孔率は３０〜９０％が好適であり、４５〜８０％であることがより好ましく、５０〜７０％であることが特に好ましい。気孔率を３０〜９０％とすることにより、圧力損失を低減した上で、構造体としての機械的強度を保持できるからである。【００３０】
ハニカム構造体の平均気孔径（細孔径）は５〜５００μｍが好適である。平均気孔径が５μｍ未満であると、圧力損失が上昇する傾向にあり、一方、平均気孔径が５００μｍ超であると、フィルターに用いた場合に捕集効率が低下する傾向にある。【００３１】
このようなハニカム構造体の製造方法は特に限定されないが、例えば、適当な粘度に調整したセラミック坏土を、所望のセル形状、隔壁厚さ、セル密度を有する口金を用いて押出成形し、得られた成形体を乾燥及び／又は焼成するといった従来公知の製造方法等により製造することができる。【００３２】
目封止用スラリーは、例えば、セラミックス粉末と分散媒（例えば水等）を混合することにより調製することができる。更に、必要により、結合剤、解膠剤、発泡樹脂等の添加剤を加えても良い。セラミックス粉末の材質は特に限定されないが、ハニカム構造体と同材質とすることが好ましい。結合剤としては、ポリビニルアルコールやメチルセルロースなどが好適に使用できる。
【実施例】
【００３３】
以下、本発明を実施例に基づいて更に詳細に説明するが、本発明はこれらの実施例に限定されるものではない。【００３４】
（実施例１）
コージェライトからなる多孔質のハニカム構造体（長さ：１５０ｍｍ、外径：１４０ｍｍ、隔壁厚さ：４００μｍ、セル形状：正方形、セル密度：３００ｃｐｓｉ、設計上のセルピッチ：１．５ｍｍ）の端面に、市販の透明な粘着シートを貼着した後、当該端面をＣＣＤカメラにて撮像し、撮像した画像を画像処理（二値化処理）し、処理後の画像中の一塊の黒い像が所定の設計上のセル面積の８０％以上に達している場合に、その像を通常セルとみなし、その位置を認識した。なお、画像処理の画像分解能は０．１ｍｍ／画素とした。また、こうして位置が認識された通常セルから平均セルピッチを算出し、通常セルの内で最も外周側にあるセルから、セルの並び方向において、ハニカム構造体の外周側に平均セルピッチ分移動した位置を最外周セルの位置として認識した。このようにハニカム構造体の端面上において通常セルと最外周セルの位置を認識した後、その認識された位置に基づいて、ハニカム構造体を載せたＸＹＺθステージを位置決めし、シートの目封じすべきセルに対応した位置にレーザーを照射して穿孔処理を行なった。目封じすべきセルは、目封止後の端面が市松模様状となるように、１つ置きに存在する。穿孔処理後、シートの目封止すべき最外周セルに対応した位置の内、実際に穿孔処理が施されていた位置の割合を求め、その結果を表１に示した。また、ハニカム構造体の端部を、端面にシートを貼着した状態のまま、目封止用スラリー（ハニカム構造体と同材質の材料をスラリー化したもの）に浸漬し、穿孔処理によりシートに穿たれた孔を通じて、目封じすべきセルの端部に目封止用スラリーを充填して目封止部を形成した。その後、最外周セルの目封止状態を調べ、目封止すべき最外周セルの内、通常セルに対する面積比が５０％以上の大形セルと、通常セルに対する面積比が５０％未満の小形セルとについて、それぞれ目封止部が形成されていなかったセルの数を求め、その結果を表１に示した。また、目封止部を形成した後のハニカム構造体端面の一部を撮影し、その写真を図３に示した。【００３５】
（実施例２）
ハニカム構造体の端面に粘着シートを貼着する前に、当該端面にエアーを吹き付けて埃等の異物の除去を行った以外は実施例１と同様にして、通常セル及び最外周セルの位置認識、シートへの穿孔処理並びに目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００３６】
（実施例３）
画像処理によるセルの認識の際に、処理後の画像中の一塊の像の内、当該像を構成する画素数が５個以下のものを埃等の異物とみなして判断対象から排除するようにした以外は、実施例２と同様にして、通常セル及び最外周セルの位置認識、シートへの穿孔処理並びに目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００３７】
（実施例４）
画像処理の画像分解能を０．２ｍｍ／画素とした以外は、実施例２と同様にして、通常セル及び最外周セルの位置認識、シートへの穿孔処理並びに目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００３８】
（比較例１）
最外周セルの位置の認識に特別な方法を用いず、全てのセルの認識を画像処理によってのみ行った以外は実施例１と同様にして、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。また、目封止部を形成した後のハニカム構造体端面の一部を撮影し、その写真を図４に示した。【００３９】
（比較例２）
ハニカム構造体の端面に粘着シートを貼着する前に、当該端面にエアーを吹き付けて埃等の異物の除去を行った以外は比較例１と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４０】
（比較例３）
画像処理によるセルの認識の際に、処理後の画像中の一塊の像の内、当該像を構成する画素数が５個以下のものを埃等の異物とみなして判断対象から排除するようにした以外は、比較例２と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４１】
（比較例４）
画像処理によるセルの認識の際に、処理後の画像中の一塊の像の内、当該像を構成する画素数が１０個以下のものを埃等の異物とみなして判断対象から排除するようにした以外は、比較例２と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４２】
（比較例５）
最外周セルの位置を設計図面からの理論値より算出して認識させた以外は比較例２と同様にして、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４３】
（比較例６）
画像処理の画像分解能を０．２ｍｍ／画素とした以外は比較例２と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４４】
（比較例７）
画像処理の画像分解能を０．２ｍｍ／画素とした以外は比較例３と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４５】
（比較例８）
画像処理の画像分解能を０．５ｍｍ／画素とした以外は比較例２と同様にして、セルの位置認識、シートへの穿孔処理及び目封止部の形成を行い、実施例１と同様に、シートの目封止すべき最外周セルに対応した位置の内、実際に穿孔処理が施されていた位置の割合と、目封止部が形成されていなかったセルの数とを求め、その結果を表１に示した。【００４６】
【表１】
2008081649.tif 000003
【００４７】
表１に示すとおり、最外周セルの位置を、通常セルの平均セルピッチから算出して認識させた実施例１〜４は、シートの目封止すべき最外周セルに対応した位置の全てに穿孔がなされ、目封止すべき最外周セルに正しく目封止部が形成されていた。これに対し、最外周セルの位置の認識に特別な方法を用いず、全てのセルの認識を画像処理によってのみ行った比較例１〜４及び６〜８は、シートの目封止すべき最外周セルに対応した位置の内、半数前後しか実際に穿孔処理が施されておらず、目封止部が形成されていないセルが多数存在した。また、最外周セルの位置を設計図面からの理論値より算出して認識させた比較例５も、シートの目封止すべき最外周セルに対応した位置の内、７割程度しか実際に穿孔処理が施されておらず、目封止部が形成されていないセルが多数存在した。
【産業上の利用可能性】
【００４８】
本発明は、ＤＰＦ等の微粒子状物質を濾過するフィルターなどに用いる目封止ハニカム構造体の製造方法として好適に利用することができるものである。
【図１】
2008081649.tif 000004
【図２Ａ】
2008081649.tif 000005
【図２Ｂ】
2008081649.tif 000006
【図３】
2008081649.tif 000007
【図４】
2008081649.tif 000008
【国際調査報告】
2008081649.tif 000009
2008081649.tif 000010